(57)【特許請求の範囲】
【請求項１】
治具とチューブクランプとの間にスリーブ保持具を設けた構造とし、治具とチューブクランプとを相対移動せしめる圧入手段とを備えており、治具にチューブ継手を、スリーブ保持具にチューブに外挿されたスリーブを、それぞれセットし、チューブクランプを閉じてチューブを保持した状態で圧入手段を操作してチューブ継手にチューブを圧入した後、チューブクランプを開き、更に圧入手段の押し込みによりチューブ継手上のチューブにスリーブを圧入することを特徴とするチューブ継手への細径チューブ接続用装置。
【請求項２】
治具の移動距離を二つに切り替える切り替え部品を具備させてあり、この一番目の切り替え部品位置がチューブ圧入位置であり、前記切り替え部品の二番目の位置がスリーブ圧入位置であることを特徴とする請求項１記載のチューブ継手への細径チューブ接続用装置。
【請求項３】
チューブ継手へのスリーブ圧入後、圧入手段を初期状態にすると、切り替え部品がチューブ圧入位置に自動的に戻るようになっていることを特徴とする請求項２記載のチューブ継手への細径チューブ接続用装置。
【発明の詳細な説明】
【技術分野】
【０００１】
この発明は、チューブ継手への細径チューブ接続用装置に関し、特にチューブ継手に細径チューブを外圧入した後、更に細径チューブにスリーブを外圧入するための治具に関するものである。
【背景技術】
【０００２】
細径チューブが接続されるチューブ継手（例えば、タケノコ継手）において、チューブ外周面にスリーブを設ける構造とする場合、スリーブにネジ等を設けると継手の外径及び全長が大きくなってしまう。そのため、スリーブにネジ等を設けず、単純な円筒形状とした継手とすることが望まれる（例えば、特許文献１参照）。
【０００３】
しかしながら、スリーブを所定位置に設置する場合、治具が必要となるが、細径チューブが硬い場合にはチューブを圧入する治具も必要となる結果、チューブ圧入治具とスリーブ圧入治具という二種類の圧入治具が必要となり、作業性が良くないという問題がある。
【特許文献１】特開昭６３−２２２３９号公報
【発明の開示】
【発明が解決しようとする課題】
【０００４】
そこで、この発明では、チューブ継手へのチューブの外圧入と、チューブへのスリーブの外圧入という二種類の圧入作業を、効率よく行うことができるチューブ継手への細径チューブ接続用装置を提供することを課題とする。
【課題を解決するための手段】
【０００５】
（請求項１記載の発明）
この発明のチューブ継手への細径チューブ接続用装置は、治具とチューブクランプとの間にスリーブ保持具を設けた構造とし、治具とチューブクランプとを相対移動せしめる圧入手段とを備えており、治具にチューブ継手を、スリーブ保持具にチューブに外挿されたスリーブを、それぞれセットし、チューブクランプを閉じてチューブを保持した状態で圧入手段を操作してチューブ継手にチューブを圧入した後、チューブクランプを開き、更に圧入手段の押し込みによりチューブ継手上のチューブにスリーブを圧入する。
（請求項２記載の発明）
この発明のチューブ継手への細径チューブ接続用装置は、上記請求項１記載の発明に関し、治具の移動距離を二つに切り替える切り替え部品を具備させてあり、この一番目の切り替え部品位置がチューブ圧入位置であり、前記切り替え部品の二番目の位置がスリーブ圧入位置である。
（請求項３記載の発明）
この発明のチューブ継手への細径チューブ接続用装置は、上記請求項２記載の発明に関し、チューブ継手へのスリーブ圧入後、圧入クランプを初期状態にすると、切り替え部品がチューブ圧入位置に自動的に戻るようになっている。
【発明の効果】
【０００６】
この発明のチューブ継手への細径チューブ接続用装置によると、チューブ継手へのチューブの外圧入と、チューブへのスリーブの外圧入という二種類の圧入作業を、効率よく行うことができる。
【発明を実施するための最良の形態】
【０００７】
以下にこの発明のチューブ継手への細径チューブ接続用装置（以下、単に細径チューブ接続用装置という）を実施するための最良の形態として実施例について詳しく説明する。
【実施例１】
【０００８】
（この細径チューブ接続用装置Ｊにより製作される管継手Ｋの雄部材７等）
この管継手Kは、図１に示すように、チューブ継手７２を具えた雄部材７が、雌部材８に対して挿脱自在に挿入されており、前記雌・雄部材８，7の接続状態ではこれら相互間が流体密状態になるようにしてある。また、この管継手Ｋでは、図１に示すように、上記チューブ継手７２に予め細径チューブ９と共にスリーブ９０が外圧入される態様で接続してある。
【０００９】
なお、符号７０はリテーナであり、当該リテーナ７０の先端操作部７１を内側に移動させるべく摘むことにより雄部材７を雌部材８から取り外せるようになっている。
【００１０】
以下に、この雄部材７におけるチューブ継手７２への細径チューブ接続は以下に示す装置Ｊにより行われている。
【００１１】
（この細径チューブ接続用装置Ｊの基本的構成について）
この細径チューブ接続用装置Ｊは、図２〜図５に示すように、治具１とチューブクランプ２との間にスリーブ保持具３を設けた構造とし、治具１をチューブクランプ２側に移動せしめる圧入クランプ５（請求項１記載の発明に記載の圧入手段に相当する。以下同じ）と、治具１の移動距離を二つに切り替える切り替え部品４を備えており、治具１にチューブ継手７２を、スリーブ保持具３にチューブ９に外挿されたスリーブ９０を、それぞれセットし、チューブクランプ２を閉じてチューブ９を保持した状態で圧入クランプ５を操作してチューブ継手７２にチューブ９を圧入した後、チューブクランプ２を開くと共に切り替え部品４を切り替えて、圧入クランプ５の押し込みによりチューブ継手７２上のチューブ９にスリーブ９０を圧入する。
【００１２】
なお、チューブ継手７２へのスリーブ９０の圧入後、圧入クランプ５を初期状態にすると、切り替え部品４がチューブ圧入位置に自動的に戻るようになっている。
【００１３】
（この細径チューブ接続用装置Ｊの各部品の構成について）
この細径チューブ接続用装置Ｊは、図３に示すように、治具１、チューブクランプ２、スリーブ保持具３、切り替え部品４、圧入クランプ５の全てを、ベース板６に載せ置くようにして構成されている。
【００１４】
治具１は、図２や図３に示すように、大径部１１と小径部１２から成る本体部分と、前記大径部１１の一端面から突出する細ピン１０とを備えるものである。前記細ピン１０の直径は、図２に示すように、雄部材７となるチューブ継手７２の管内径よりも少し小さく設定してあり、また、前記細ピン１０の長さは図２に示すように、雄部材７の奥側面を大径部１１の一端面に当接させた状態においてチューブ継手７２から少し出る長さに設定してある。なお、この治具１は、図３に示すように、案内ブロック１３を介してベース板６に載せ置かれている。
【００１５】
チューブクランプ２は、図３に示すように、固定ブロック２０と可動ブロック２１とからなり、トグル機構２２を介して可動ブロック２１を固定ブロック２０側へと移動できるものとしてある。なお、可動ブロック２１が固定ブロック２０へと最接近した状態においては、図３（a）の一点鎖線に示すように、チューブ９は変形せしめられることなくしっかりと保持された状態となっている。また、上記トグル機構２２を元の状態にすると図３（a）の実線に示す状態に戻る。
【００１６】
スリーブ保持具３は、図３や図７に示すように、チューブ９に外挿されたスリーブ９０が、治具１とチューブクランプ２との間で、位置ズレしないように保持するものである。ここで、このスリーブ保持具３は、図７や図８に示すように、基本的には上部開放のＵ字形状の空間を有するものであるが、スリーブ９０が当該スリーブ保持具３に対して動かないように両サイドに断付き部３０，３０で挟み込む態様を採っている。
【００１７】
切り替え部品４は、図４に示した状態から図５に示した状態に移動させ得るようになっており、外力をかけない限りはバネ等の付勢力により図４に示した状態となっている。なお、切り替え部品４に外力をかけていない、図４の状態では六角鍔部５０との当接により、チューブ継手７２に対してチューブ９が完全接続状態となり、切り替え部品４に外力をかけて移動させた図５の状態では六角鍔部５０は切り替え部品４に邪魔されることなく移動せしめられるので、チューブ継手７２に対してスリーブ９０が完全接続状態になる。
【００１８】
圧入クランプ５は、図４〜図５に示すように、トグル機構５１からの力が六角鍔部５０から突出した押込部を介して治具１を押し出すようにしてある。
【００１９】
（この細径チューブ接続用装置Ｊの使用状態について）
（１）先ず、図２に示すように、スリーブ９０を外挿させた雄部材７のチューブ継手７２の管部分を、治具１に設けた細ピン１０に外挿する。この状態においては、雄部材７の一端面が治具１と接触しており、細ピン１０の端部はチューブ継手７２の端部から少し突出した状態となっている。
（２）上記（１）で組み立てたものを案内ブロック１３上に載せ置き、スリーブ保持具3上にスリーブ９０を載せ置く。
（３）図３に示すように、トグル機構２２を操作して可動ブロック２１を固定ブロック２０側に移動せしめ、可動ブロック２１と固定ブロック２０でチューブ９を挟み込んで移動不能に固定する。
（４）トグル機構５１を操作して六角鍔部５０が切り替え部品４に当接するまで治具１を押し込む。これにより、図４に示すように、チューブ継手７２にチューブ９が圧入される。
（５）トグル機構２２を操作して可動ブロック２１を固定ブロック２０から引き離す態様で移動せしめ、チューブ９を非固定状態にする。
（６）図５、特に図５（a）に示すように、切り替え部品４を移動させ、六角鍔部５０から突出した押込部を介して治具１をさらに押し込む。これにより、図５に示すように、チューブ継手７２上のチューブ９にスリーブ９０が圧入される。
（７）チューブ継手７２へのスリーブ９０の圧入後、圧入クランプ５を初期状態にすると、切り替え部品４がチューブ圧入位置に自動的に戻る。
（８）図６（a）に示すように治具１ごと雄部材７を取り外す。その後、治具１の細ピン１０から雄部材７を取り外す。これにより、雄部材７のチューブ継手２７にチューブ9及びスリーブ９０が外圧入されたものが完成する。
（９）上記（１）〜（８）から明らかなように、この細径チューブ接続用装置Ｊを使用すると、以下に示すように、チューブ継手７２へのチューブ９の外圧入と、チューブ９へのスリーブ９０の外圧入という二種類の圧入作業を、効率よく行うことができる。
【実施例２】
【００２０】
上記実施例１の細径チューブ接続用装置Ｊでは、圧入クランプ５により治具１がチューブクランプ２側に押し込まれるのに対して、この実施例２では圧入クランプ５によりチューブクランプ２（２０，２１，２２）とスリーブ保持具３とが一体的に治具１側へ押し込まれるようになっている。  
【００２１】
治具１は、図９や図１０に示すように、上記実施例１と同様の形態を採って細ピン１０を有するものとしてあるが、この実施例２の場合には、当該治具１は移動することなく固定状態となっている。なお、実施例１と同様に細ピン１０には雄部材７が取り付けられる（図２参照）。
【００２２】
チューブクランプ２は、図９に示すように、固定ブロック２０と可動ブロック２１とからなり、トグル機構２２を介して可動ブロック２１を固定ブロック２０側へと移動できるものとしてある。なお、この実施例２の場合も、チューブ９０を可動ブロック２１と固定ブロック２０で挟持しながら、定位置から切り替え部品４と当接するまで距離Ｌ１だけ移動させ、これによりチューブ９がチューブ継手７２に適正に圧入せしめられるようしてある。
【００２３】
ここで、実施例１と同様に固定ブロック２０と可動ブロック２１とを開状態にすると共に切り替え部品４を矢印方向に引き下げ、圧入クランプ５により距離Ｌ２だけ更に押し込むと、チューブ継手７２上のチューブ９にスリーブ９０を圧入せしめられるようになっている。
【００２４】
(他の実施形態について)
上記実施例１，２では、切り替え部品４を具えているが、切り替え部品４は必ずしも必須の構成要件ではない。この場合、目視でチューブ９の圧入完了を見極めた後、チューブクランプ２を開き、さらに、押し込んでスリーブ９０を圧入するようにすればよい。
【図面の簡単な説明】
【００２５】
【図１】壁面に取り付けられた雌部材に雄部材が取り付けられている状態であり、前記雄部材のチューブ継手にチューブ及びスリーブが圧入されている状態を示す半断面図。
【図２】治具の細ピンに、雄部材を取り付けた状態を示す説明図。
【図３】細径チューブ接続用装置の使用説明図であり、チューブ及びスリーブがセットされた状態を示す拡大図。
【図４】細径チューブ接続用装置の使用説明図であり、雄部材のチューブ継手にチューブが圧入されている状態を示す拡大図。
【図５】細径チューブ接続用装置の使用説明図であり、雄部材のチューブ継手にチューブ及びスリーブが圧入されている状態を示す拡大図。
【図６】チューブ及びスリーブをセットした雄部材を、治具から取り外した状態を示す説明図。
【図７】スリーブ保持具に、チューブに外挿されたスリーブをセッティングした状態を示す断面図。
【図８】スリーブ保持具に、チューブに外挿されたスリーブをセッティングする前とした後の状態を示す斜視図。
【図９】第２実施の細径チューブ接続用装置の上面図。
【図１０】第２実施の細径チューブ接続用装置の側面図。
【符号の説明】
【００２６】
Ｊ      細径チューブ接続用装置
１      治具
１０    細ピン  
１１    大径部
１２    小径部
２      チューブクランプ
３      スリーブ保持具
４      切り替え部品
５      圧入クランプ
６      ベース板
【図１】
0005103085.tif 000002
【図２】
0005103085.tif 000003
【図３】
0005103085.tif 000004
【図４】
0005103085.tif 000005
【図５】
0005103085.tif 000006
【図６】
0005103085.tif 000007
【図７】
0005103085.tif 000008
【図８】
0005103085.tif 000009
【図９】
0005103085.tif 000010
【図１０】
0005103085.tif 000011